【事件の表示】
　昭和６３年特許願第２６５７９２号「画像処理装置」拒絶査定に対する審判事件［平成　２年　４月２５日出願公開、特開平　２−１１２３７８］について、次のとおり審決する。
【結　論】
　本件審判の請求は、成り立たない。
【理　由】
１．手続の経緯・本願発明
　本願は、昭和６３年１０月２０日の出願であって、その請求項１に係る発明は、平成１１年１０月２５日付けの手続補正書で補正された明細書及び図面の記載からみて、その特許請求の範囲の請求項１に記載されたとおりのものと認められるところ、その請求項１に記載された発明（以下、「本願発明」という。）は、次のとおりである。
「原稿画像上の任意の大きさの領域を少なくとも１つ特定する領域特定手段と、
　特定された前記領域の各々に応じた処理条件に基づいて、該領域に処理を施す処理手段を有する画像処理装置であって、
　前記領域特定手段によって特定された任意の大きさの領域の各々に対して該領域毎に単一の領域識別符号を付与する領域識別符号付与手段と、
　前記任意の大きさの領域の各々に応じた前記処理条件を、該領域に付与された領域識別符号に対応づけて記憶する記憶手段と、
　いま処理が施されるべき注目領域に対応する領域識別符号を発生する領域識別符号発生手段と、
　前記注目領域に対応する前記領域識別符号に基づいて、該注目領域に応じた処理条件を前記記憶手段から読み出す読み出し手段を有し、
　前記処理手段は、前記読み出し手段から読み出された処理条件に基づいて、前記注目領域に処理を施すことを特徴とする画像処理装置。」
２．引用刊行物
　これに対し、原査定の平成１０年１０月１２日付け拒絶理由通知書の拒絶の理由で、引用文献２として引用された特開昭５８−１４２７０号公報（以下、「引用例１」という。）には、
「本発明は光ビームの走査により感光性記録媒体上に画像を記録する方法、特に部分的に画像の階調、シャープネス等の処理条件を変化させる記録方法に関するものである。」
（引用例１の第１頁下右欄第２〜５行目）、
「本発明は上記の点に鑑み、部分的に画像処理の条件の異なる画像を得る画像走査記録方法を提供することを目的とするものである。
　特に本発明は、記録画像の所定の区域を指定し、この指定区域内の画像を、異なった画像処理条件で記録する方法を提供するものである。」
（引用例１の第２頁上右欄第９〜１５行目）、
「第２図は、画像１の中に区域Ａ１，Ａ２を指定し、この区域Ａ１，Ａ２を残った画像部分Ａ３と異なった処理条件で、しかもＡ１とＡ２もまた異なった処理条件で画像を記録する場合の例を示す。画像の処理条件としては、階調、シャープネス、倍率、網モードを採用し、これを第１表のように区域毎に設定する。」
（引用例１の第２頁下左欄第１２〜１８行目）、
「先ず第２図に示すように区域をレイアウト台紙上に図形として描く。これを図形入力器１０（デジタイザー）で読み取って図形の信号を得る。この図形入力器１０は、レイアウト台紙に描かれた図形を電気ペンで指示して図形をＸＹ座標値をもって入力するものである。」
（引用例１の第２頁下右欄第１〜７行目）、
「次に、マイクロコンピュータのＣＰＵ１１を介して、図形入力器１０で入力された図形の座標値の行と列を図形メモリー１２に入れる。この図形メモリー１２には、走査線毎にラインメモリーがあり、第１行にはＬ１ラインメモリー、第２行目にはＬ２ラインメモリーが使用される。このようにして、第１から第１４までの行のメモリーに図形の座標値が入力される。図形は、第３図に示すようにｐ１〜ｐ１４によって区域Ａ２の輪郭を表し、Ｑ１〜Ｑ１０によって区域Ａ１の輪郭が表わ
される。
これを詳細に示すと第２表のようになる。」
（引用例１の第３頁上左欄第５〜１６行目）、
「このように座標値すなわち行と列が入力され記憶された各ラインメモリーからなる図形メモリー１２から、図形ラインメモリー１３へ図形メモリー値（座標値）が１ラインずつ送られる。
　一方、原稿の主走査と同期して発生する格子信号パルスが格子信号発生器１４からカウンター１５へ送られてカウントされる。例えば第３行目Ｌ３ではＰ１個のパルスがカウントされたとき、図形ラインメモリー１３の値とカウンター１５のカウント値とが一致するので、これを一致回路１６で検出して、検出時にトリガーパルスが条件ラインメモリー１７へ送られる。
　条件ラインメモリー１７にトリガーパルスが来ると、これは図形を示す輪郭があることを示すので、この点を境にして条件を変えるように条件ラインメモリー１７は制御信号を発生する。
　条件ラインメモリー１７には、条件メモリー
１８からの各ライン毎の条件メモリー中の設定条件の情報が与えられ、記憶される。条件メモリー１８には、キーボード１９により、ＣＰＵ１１を介して各ライン毎の各種設定条件が入力され記憶される。設定条件としては、例えば階調、シャープネス、倍率、網モード等がある。」
（引用例１の第３頁上右欄下から第６行目〜同頁下右欄第１行目）、
「例えば、第１表に示すように、指定区域Ａ１，Ａ２，Ａ３毎に、条件モードａ１，ａ２，ａ３を定め、それぞれの条件モードの中の各種条件を予め設定しておき、これらの条件モードａ１，ａ２，ａ３を条件メモリー１８に記憶しておく。
　さらに具体的に説明すれば、第３図に示すように第１，第２のラインＬ１，Ｌ２では全て条件モードａ３が設定され、第３のラインＬ３では位置ＯからＰ１までが条件モードａ３、Ｐ１からＰ２までがａ２、Ｐ３からＤまでがａ３となる。これを表にすると第３表のように表わすことができる。」
（引用例１の第３頁下右欄第１１行目〜第４頁上左欄第３行目）、
「このように各走査ライン毎に設定された条件モードが、条件ラインメモリー１７に記憶されており、ここに一致回路１６からトリガーパルスが入力される毎に条件モードが上記第３表のように各ライン毎に変化する。例えば第３行目Ｌ３の場合には、条件モードａ３，ａ２，ａ３が条件ラインメモリー１７に設定記憶されており、ここにトリガーパルスが入力されると条件モードがａ３→ａ２→ａ３の順序で変化し、その各条件モードの制御信号が制御されるべき各条件制御器２０，２１，２２，２３へ送られる。シャープネス制御器２０、倍率制御器２１、階調制御器２２は原稿読取器３０の出力に直列に接続され、網モード制御器２３は階調制御器２２の出力に接続された比較器２４の入力に接続され、網信号発生器２５からの網信号を受ける。比較器２４は網信号発生器２５からの網信号を網モード制御器２３を介して受け、原稿読取器３０からの各種制御器２０，２１，２２を経た信号と、網信号とを比較し、感光性記録媒体に記録すべき記録信号を出力する。この出力信号は光ビーム走査記録器３１に入力されて、感光性記録媒体に画像が記録される。
　上記のようにして、指定区域Ａ１、Ａ２と、その他の部分とを区別して異なった処理条件をもって画像記録を行なうことができる。」
（引用例１の第４頁上右欄第１行目〜第４頁下左欄第７行目）と記載されており、
さらに、第２頁下右欄には第１表が、第３頁上右欄には第２票が、第４頁上左欄には第３表が記載されており、第１図には、本発明の画像走査記録方法を実施する走査記録系の系統図が、第２図には本発明の対象となる画像の指定区域の例を示す正面図が、第３図には同じくその走査線との位置関係を示す斜視図が示されている。
　これらの記載より、引用例１には次のことが記載されている。
「光ビームの走査により感光性記録媒体上に画像を記録する時に、記録画像の所定の区域を指定し、この指定区域内の画像を、異なった画像処理条件で記録するものにおいて、
　画像の中に区域Ａ１，Ａ２を指定し、この区域Ａ１，Ａ２を残った画像部分Ａ３と異なった処理条件で、しかもＡ１とＡ２もまた異なった処理条件で画像を記録する場合の例では、画像の処理条件としては、階調、シャープネス、倍率、網モードを採用し、これを区域毎に設定する場合に、
　先ず区域をレイアウト台紙上に図形として描き、これを図形入力器１０（デジタイザー）で読み取って図形の信号を得て、
　次に、マイクロコンピュータのＣＰＵ１１を介して、図形入力器１０で入力された図形の座標値の行と列を図形メモリー１２に入れ、この図形メモリー１２には、走査線毎にラインメモリーがあり、第１行にはＬ１ラインメモリー、第２行目にはＬ２ラインメモリーが使用され、このようにして、第１から第１４までの行のメモリーに図形の座標値が入力される、
　図形は、第３図示すようにｐ１〜ｐ１４によって区域Ａ２の輪郭を表し、Ｑ１〜Ｑ１０によって区域Ａ１の輪郭が表わされ、
　このように座標値すなわち行と列が入力され記憶された各ラインメモリーからなる図形メモリー１２から、図形ラインメモリー１３へ図形メモリー値（座標値）が１ラインずつ送られ、
　一方、原稿の主走査と同期して発生する格子信号パルスが格子信号発生器１４からカウンター１５へ送られてカウントされ、例えば第３行目Ｌ３ではＰ１個のパルスがカウントされたとき、図形ラインメモリー１３の値とカウンター１５のカウント値とが一致するので、これを一致回路１６で検出して、検出時にトリガーパルスが条件ラインメモリー１７へ送られる、
　条件ラインメモリー１７にトリガーパルスが来ると、これは図形を示す輪郭があることを示すので、この点を境にして条件を変えるように条件ラインメモリー１７は制御信号を発生する、
　条件ラインメモリー１７には、条件メモリー１８からの各ライン毎の条件メモリー中の設定条件の情報が与えられ、記憶され、
　条件メモリー１８には、キーボード１９により、ＣＰＵ１１を介して各ライン毎の各種設定条件が入力され記憶される。設定条件としては、例えば階調、シャープネス、倍率、網モード等があり、
　例えば、第１表に示すように、指定区域Ａ１，Ａ２，Ａ３毎に、条件モードａ１，ａ２，ａ３を定め、それぞれの条件モードの中の各種条件を予め設定しておき、これらの条件モードａ１，ａ２，ａ３を条件メモリー１８に記憶しておく、
　このように各走査ライン毎に設定された条件モードが、条件ラインメモリー１７に記憶されており、ここに一致回路１６からトリガーパルスが入力される毎に条件モードが上記第３表のように各ライン毎に変化する、
　例えば第３行目Ｌ３の場合には、条件モードａ３，ａ２，ａ３が条件ラインメモリー１７に設定記憶されており、ここにトリガーパルスが入力されると条件モードがａ３→ａ２→ａ３の順序で変化し、その各条件モードの制御信号が制御されるべき各条件制御器２０，２１，２２，２３へ送られる、
　シャープネス制御器２０、倍率制御器２１、階調制御器２２は原稿読取器３０の出力に直列に接続され、網モード制御器２３は階調制御器２２の出力に接続された比較器２４の入力に接続され、網信号発生器２５からの網信号を受ける。比較器２４は網信号発生器２５からの網信号を網モード制御器２３を介して受け、原稿読取器３０からの各種制御器２０，２１，２２を経た信号と、網信号とを比較し、感光性記録媒体に記録すべき記録信号を出力する。この出力信号は光ビーム走査記録器３１に入力されて、感光性記録媒体に画像が記録される、
　上記のようにして、指定区域Ａ１、Ａ２と、その他の部分とを区別して異なった処理条件をもって画像記録を行なうことができる画像走査記録方法。」
３．対比
　そこで、本願発明（本願発明）と引用例１に記載されたもの（引用例１）とを対比すると、
　引用例１の「図形入力器１０（デジタイザー）」は、　本願発明の「原稿画像上の任意の大きさの領域を少なくとも１つ特定する領域特定手段」に、
　引用例１の「記録画像の所定の区域を指定し、この指定区域内の画像を、異なった画像処理条件で記録すること」は、本願発明の「特定された領域の各々に応じた処理条件に基づいて、該領域に処理を施す」に、
それぞれ相当しているものと認められる。
　また、引用例１には、「例えば、第１表に示すように、指定区域Ａ１，Ａ２，Ａ３毎に、条件モードａ１，ａ２，ａ３を定め」と記載されているから、引用例１の「指定区域毎に、定める条件モードａ１，ａ２，ａ３」が、本願発明の「領域毎に、付与する単一の領域識別符号」に相当しているから、
　引用例１の「指定区域Ａ１，Ａ２，Ａ３毎に、条件モードａ１，ａ２，ａ３を定めること」は、
　本願発明の「領域特定手段によって特定された任意の大きさの領域の各々に対して該領域毎に単一の領域識別符号を付与する」に相当し、
　さらに、引用例１の「条件モードの中の各種条件」とは、引用例１の「条件メモリー１８には、キーボード１９により、ＣＰＵ１１を介して各ライン毎の各種設定条件が入力され記憶される。設定条件としては、例えば階調、シャープネス、倍率、網モード等がある」の記載より、「階調、シャープネス、倍率等の処理条件」のことであるから、
　引用例１の「それぞれの条件モードの中の各種条件を予め設定しておき、これらの条件モードａ１，ａ２，ａ３を条件メモリー１８に記憶しておくこと」は、
　本願発明の「任意の大きさの領域の各々に応じた処理条件を、該領域に付与された領域識別符号に対応づけて記憶する」に相当している。
　また、引用例１に記載された発明は方法として表現されているが、これを装置として表現し得ることは自明のことであって、単なる表現上の問題にすぎないから、
　両者（本願発明と引用例１）は、
「原稿画像上の任意の大きさの領域を少なくとも１つ特定する領域特定手段と、
　特定された前記領域の各々に応じた処理条件に基づいて、該領域に処理を施す処理手段を有する画像処理装置であって、
　前記領域特定手段によって特定された任意の大きさの領域の各々に対して該領域毎に単一の領域識別符号を付与する領域識別符号付与手段と、
　前記任意の大きさの領域の各々に応じた前記処理条件を、該領域に付与された領域識別符号に対応づけて記憶する記憶手段と、
　前記処理手段は、処理条件に基づいて、前記注目領域に処理を施すことを特徴とする画像処理装置。」
である点で、一致しており、
　次の点で、相違しているものと認められる。
（相違点）
（１）相違点１
　本願発明が、処理が施されるべき注目領域に対応する領域識別符号を発生する領域識別符号発生手段を有するのに対して、引用例１では、図形を示す輪郭があるとトリガパルスが出力され条件ラインメモリに送られ、ラインメモリの条件モードが変わる点。
（２）相違点２
　本願発明が、注目領域に対応する領域識別符号に基づいて、該注目領域に応じた処理条件を記憶手段から読み出す読み出し手段を有し、処理手段は、前記読み出し手段から読み出された処理条件に基づいて、前記注目領域に処理を施しているのに対して、
　引用例１では、条件モードを条件メモリに記憶しておき、各走査ライン毎に設定された条件モードが条件ラインメモリーに設定記憶され、ここにトリガーパルスが入力されると条件モードが変化し、その各条件モードの制御信号が制御されるべき各条件制御器へ送られ、指定区域と、その他の部分とを区別して異なった処理条件をもつて画像記録を行う点。
４．当審の判断
　そこで、相違点について検討すると、
（１）相違点１について
　引用例１においても、指定領域Ａ１、Ａ２、Ａ３毎に、条件モードａ１、ａ２、ａ３を定めており、引用例１では、ライン毎に処理を行っているが、例えば第３行目Ｌ３の場合は、条件モードａ３，ａ２，ａ３が条件ラインメモリー１７に設定記憶されており、ここにトリガーパルスが入力されると条件モードがａ３→ａ２→ａ３の順序で変化する、これは、ライン毎に、指定領域に応じて条件モードを出していることになる、すなわち、本願発明の、処理が施されるべき注目領域に対応する領域識別符号を発生することに相当するということができる。
したがって、処理が施されるべき注目領域に対応する領域識別符号を発生する領域識別符号発生手段を有するようにすることは当業者が容易に考えられることである。
（２）相違点２について
　引用例１において、「条件ラインメモリー１７にトリガーパルスが来ると、これは図形を示す輪郭があることを示すので、この点を境にして条件を変えるように条件ラインメモリー１７は制御信号を発生する。
　条件ラインメモリー１７には、条件メモリー
１８からの各ライン毎の条件メモリー中の設定条件の情報が与えられ、記憶される。条件メモリー１８には、キーボード１９により、ＣＰＵ１１を介して各ライン毎の各種設定条件が入力され記憶される。設定条件としては、例えば階調、シャープネス、倍率、網モード等がある。」と、「例えば、第１表に示すように、指定区域Ａ１，Ａ２，Ａ３毎に、条件モードａ１，ａ２，ａ３を定め、それぞれの条件モードの中の各種条件を予め設定しておき、これらの条件モードａ１，ａ２，ａ３を条件メモリー１８に記憶しておく。」と記載されているように、条件モードの中に、予め、各種条件、即ち、階調、シャープネス、倍率、網モード等の処理条件が設定されているのであるが、これは、処理条件をどこにどのように記憶しておくかの問題であり、記憶内容を記憶手段に記憶する場合において、記憶内容を記憶手段にどのように記憶させるかは、当業者にとって単なる設計事項であるから、本願発明のように、「注目領域に対応する領域識別符号に基づいて、該注目領域に応じた処理条件を記憶手段から読み出し、その処理条件に基づいて、注目領域に処理を施す」ようにすることは、当業者が容易に考えられることと認められる。
　そして、本願発明は、前記引用例１のものから予測できる作用効果以上の顕著な作用効果を奏するものとは認められない。
５．むすび
　以上のとおりであるので、本願請求項１に係る発明は、引用例１に記載された発明に基いて、当業者が容易に発明をすることができたものと認められ、特許法第２９条第２項の規定により特許を受けることができない。
　よって、結論のとおり審決する。